(57)【特許請求の範囲】
【請求項１】
動作被減衰装置において、
装置の作動中に動く可動部品と、
装置の作動中に動かない静止部品と、
前記可動部品および前記静止部品のうちの一方に連結される装置ギアと、
前記可動部品および前記静止部品のうちの他方に連結されるダンパー組立体とを具備し、
前記ダンパー組立体は、
ローターとローター軸とを有するダンパーと、
前記ローター軸に作動可能に配置され、前記装置ギアと作動的に係合するダンパーギアと、
前記ダンパーの周囲に取付けられた固定ブラケットであって、前記ダンパーおよび前記ダンパーギアに対して夫々逆方向の力を前記ローター軸の中心軸線に平行に加える部分を含む固定ブラケットとを具備する動作被減衰装置。
【請求項２】
前記ダンパーは、その表面に歯を備えた可動ハウジングを有し、前記ダンパー組立体は、前記ダンパーハウジングの前記歯との係合および係合解除を選択的に行うことができる固定歯を更に含む請求項１に記載の動作被減衰装置。
【請求項３】
前記固定ブラケットがその表面に前記固定歯を有する請求項２に記載の動作被減衰装置。
【請求項４】
前記固定ブラケットは、前記ダンパーと前記ダンパーギアの間に位置される本体と、前記ダンパーの両側部に位置される脚部とを有する請求項３に記載の動作被減衰装置。
【請求項５】
前記可動部品は、群衆コントロール装置のスプールである請求項４に記載の動作被減衰装置。
【請求項６】
前記可動部品は、群衆コントロール装置のスプールである請求項１に記載の動作被減衰装置。
【請求項７】
前記ダンパー組立体は、前記可動部品に連結され、同部品と共に動くことができ、前記装置ギアは、前記静止部品に連結される請求項１に記載の動作被減衰装置。
【請求項８】
前記ダンパー組立体は、前記静止部品に連結され、前記装置ギアは、前記可動部品に連結され、同部品と共に動くことができる請求項１に記載の動作被減衰装置。
【請求項９】
ダンパー組立体において、
ハウジングと、前記ハウジング内に設けたローターと、前記ハウジングから外側に延出するローター軸とを含むダンパーと、
前記ローター軸の末端に配置されたダンパーギアと、
前記ダンパーと前記ダンパーギアの間に位置される本体と、前記ダンパーの外側に配置され、装置内に前記ダンパー組立体に取付けるための機構を形成する脚部とを有するダンパーブラケットと、
前記ダンパーハウジングおよび前記ダンパーブラケットに設けられた協働係合構造であって、前記ダンパーハウジングを選択的に前記ダンパーブラケットに係合または同ダンパーブラケットから係合解除することにより両者の間の相対回転を可能または不能にする協働係合構造とを具備し、
前記ダンパーブラケットは、前記ダンパーハウジング、および、同ダンパーハウジングに対向する前記ダンパーギアの側面に対して作用する付勢構造を有するダンパー組立体。
【請求項１０】
前記ダンパーブラケット本体は、その間に可撓性バーを形成する複数のスロットを有し、前記可撓性バーは、前記ダンパーハウジングに押し付けられて配置され、前記ダンパーブラケット本体の内側部分は、前記ダンパーギアに向かって同ダンパーギアに突き当たるように突出するリム部を有する請求項９に記載のダンパー組立体。
【請求項１１】
前記ダンパーブラケット本体は、同本体を貫通する中央開口部を有しており、前記ローター軸が、前記中央開口部を通過して突出する請求項１０に記載のダンパー組立体。
【請求項１２】
前記ダンパーハウジングおよび前記脚部の一つは、互いに選択的に係合または係合解除する歯をその表面に有する請求項９に記載のダンパー組立体。
【請求項１３】
前記ダンパーブラケット本体は、前記ダンパーハウジングに対して付勢された最外側部分と、前記ダンパーギアに対して付勢された最内側部分とを有する請求項９に記載のダンパー組立体。
【請求項１４】
ダンパー組立体において、
本体と脚部とを有するダンパーブラケットと、
前記ダンパーブラケット本体の第１の側において前記脚部の間に配置されるダンパーと、
前記ダンパーに設けられたローターであって、同ローターから外側に延出して前記ダンパーブラケット本体を貫通する軸を有するローターと、
前記ダンパーブラケット本体の第２の側において前記ローター軸に配置されるダンパーギアとを具備し、
前記ダンパーブラケット本体は、前記ダンパーおよび前記ダンパーギアの間から付勢力を付与し、前記付勢力が、前記ダンパーおよび前記ダンパーギアの各々に対して加えられるダンパー組立体。
【請求項１５】
前記ダンパーは、その表面に外歯を備えたダンパーハウジングを有し、前記ダンパーブラケットは、前記ダンパーハウジングの前記歯との係合および係合解除を選択的に行うことができる第２の歯をその表面に有する請求項１４に記載のダンパー組立体。
【請求項１６】
前記第２の歯は、前記脚部の一つに配置される請求項１５に記載のダンパー組立体。
【請求項１７】
前記ダンパーブラケット本体は、前記ダンパーハウジングに対して付勢された最外側部分と、前記ダンパーギアに対して付勢された最内側部分とを有する請求項１４に記載のダンパー組立体。
【請求項１８】
前記最内側部分は、前記ダンパーギアに向かって突出するリム部を有する請求項１７に記載のダンパー組立体。
【請求項１９】
前記ダンパーブラケットは、群衆コントロール装置内に固定され、前記ダンパーギアは、前記群衆コントロール装置のギアに作動的に係合される請求項１６に記載のダンパー組立体。
【発明の詳細な説明】
【技術分野】
【０００１】
本願発明はダンパー組立体、ダンパー組立体と構造体のための装置構成およびダンパー組立体を利用した装置に関する。より詳細には、本願発明は一方向ダンパー組立体のための装置構成およびダンパー組立体を用いた引込バンド式の群衆コントロール装置に関する。
【０００２】
なお、本願は、2009年2月23日出願の米国特許仮出願第61/154,490号および2009年6月30日出願の米国特許仮出願61/221,748号の優先権を主張する。
【背景技術】
【０００３】
装置の構成要素の動作を制御するためにダンパーが様々な装置で利用されている。所望の動作よりも非常に急激で強力に動作するような構成要素の動作を制御するためにダンパーを用いることがある。ダンパーは、重力によって生じる動作や、ばねその他のアクチュエータ−によって引き起こされる動作を制御することができる。ダンパーの用途例として知られているのは、ドア、箪笥、家具の引出しなどである。自動車では、例えばグローブボックスの扉、コンソールカバー、サングラス入れ、格納式カップホルダー、および、その他の収納容器または収納領域にダンパーが使用されることが知られている。多くのその他の装置もダンパーを使用している。
【０００４】
粘性ダンパーも公知である。粘性ダンパーでは、粘性減衰流体を含むハウジング内部においてローターが回転可能となっている。ローターおよび／またはハウジングの内部構造は、減衰流体およびローターの相対運動に適したポートを有し、それにより所望の抵抗または「減衰（ダンピング）」を提供する。
【０００５】
一方向ダンパーと二方向ダンパーの双方が知られている。その名前が示す通り、一方向ダンパーは、一方向のみの動作を制御しながら反対方向の動作に最小限の抵抗を加えるのに対し、二方向ダンパーは、両方向の動作に抵抗または制御を与える。一方向減衰を提供するためには、一方向動作に対して係合し、かつ、反対方向動作に対して係合を解除する駆動構造を、ダンパーと制御される部品の間に設けることが知られている。この係合および係合解除が完全に行われなければ問題が生じ得る。すなわち、しっかりと係合されていなければ動作に支障をきたし、および／または、完全に係合が解除され分離されていなければ動作騒音が生じる。
【０００６】
群衆の動きを制御または誘導するために自動格納式のストラップを使用することが知られている。例えば、公共施設において、その上部にリール組立体を備えた自立式のポストや支柱を複数設けることが知られており、各リール組立体は、長いナイロンその他のウェビング材をその中に巻回して有する。各ポストは、隣のポストから延出するストラップの端部を係合する１または複数のスロットを更に含む。該ポストは、移動および配置が容易であり、それらの間にストラップを張って群衆の移動通路を指定することで、立入禁止区域をブロックしたり、必要に応じて歩行者の通行パターンを定めたりする。ウェブまたはストラップは、リールから外側に延伸可能であり、多くの場合、手順中にばねその他の引込装置を締め付けることで、ウェブが解放されると自動的に引き込まれて、リールに巻き戻る。効果的かつ完全な巻取りを保証すると共にウェブを巻取状態でしっかりと保持するために、自動駆動機構は強力かつ高速であることが知られている。しかしながら、隣のポストに係合するための硬化プラスチック固定具を末端に有するウェブを高速で巻き取ると、延伸されたウェブの長さが急速に短くなるにつれ、不規則な暴れ（ｗｈｉｐｐｉｎｇ）や制御不能な動きを生じることがある。大勢の人混みの中では往々にして不注意によりポストが倒され、取付けられていたストラップが混雑したエリア内で外れてしまうことがある。人がポストやストラップに寄り掛かったり、人が部品をいじったり動かしたり等、その他の任意の行為によっても、意図せずにストラップの端部が隣のポストから外れ、時として高速で不規則な巻取りを引き起こし得る。
【発明の概要】
【発明が解決しようとする課題】
【０００７】
より効果的なダンパーを備えた群衆コントロール装置、並びに、群衆コントロール装置およびその他の構造において使用される、係合および係合解除を効果的に行うダンパーを提供することが望ましい。
【課題を解決するための手段】
【０００８】
本発明は、係合および係合解除を効果的に行う駆動構成を備えたダンパーを提供し、該ダンパーは、群衆コントロール装置のリール組立体の内部で使用することができ、ストラップをリールから支障なく繰り出せるようにしながらも、滑らかで安定した加速によって無誘導な巻取りを制御することにより不規則な暴れを最小限にすることができる。付勢力が、ダンパーとダンパーギアの間から、ダンパーおよびダンパーギアに対して夫々逆方向に加えられる。
【０００９】
一実施形態の一形式の一側面において、動作被減衰装置は、作動中に可動部品と、作動中に静止部品と、可動部品と静止部品の一方に連結される装置ギアとを備える。ダンパー組立体は、可動部品と静止部品の他方に連結される。ダンパー組立体は、ローターおよびローター軸を有するダンパーと、装置ギアと作動的に係合するようにローター軸に作動可能に配置されるダンパーギアと、ダンパーとダンパーギアの間に設けられ、ダンパーおよびダンパーギアに対して夫々逆方向に力を加える付勢手段とを含む。
【００１０】
別の実施形態の別の形式の別の側面において、ダンパー組立体は、ハウジングとハウジング内に設けたローターとハウジングから外に延出するローター軸とを含むダンパーと、ローター軸の末端に配置されるダンパーギアとを備える。ダンパーブラケットは、ダンパーとダンパーギアの間に設けた本体と、ダンパーの外側に配置され、装置内にダンパー組立体を取付けるための機構を画成する脚部とを有する。ダンパーハウジングおよびダンパーブラケットに協働係合構造を設けて、ダンパーハウジングを選択的にブラケットに係合またはブラケットから係合解除し、両者の間の相対回転を可能または不能にする。ダンパーブラケットは、ダンパーハウジングおよびダンパーハウジングに対向するダンパーギアの側面に対して作用する付勢構造を有する。
【００１１】
更なる実施形態の更なる形式の更なる側面において、ダンパー組立体は、本体と脚部とを有するダンパーブラケットと、ダンパーブラケット本体の第１の側においてダンパー脚部の間に配置されるダンパーとを備える。ダンパー内のローターは、同ローターから外側に延在しダンパーブラケット本体を貫通する軸を有する。ダンパーギアは、ダンパーブラケット本体の第２の側においてローター軸に配置される。ダンパーブラケット本体は、ダンパーとダンパーギアの間から付勢力を付与するように構成され、該付勢力は、ダンパーおよびダンパーギアの各々に加えられる。
【００１２】
本明細書に開示されるダンパー駆動構成の実施形態の一つの利点は、同構成がダンパー駆動機構の効果的な係合および係合解除を提供することである。
【００１３】
本明細書に開示されるダンパー駆動構成の実施形態のもう一つの側面のもう一つの利点は、ストラップ格納型の群衆コントロール装置に同構成を装備することにより、巻取中の不規則な暴れを最小限にすることができることである。
【００１４】
他の特徴および利点は、以下の詳細な説明、特許請求の範囲、面を検討すれば当業者にとって明らかとなろう。図面中において、同一の特徴を示すために同一の番号を使用する。
【図面の簡単な説明】
【００１５】
【図１】ダンパー組立体の斜視図である。
【図２】図１に示すダンパー組立体の側面図である。
【図３】図１、２に示すダンパー組立体の一部の拡大断片断面図である。
【図４】ダンパー組立体の分解図である。
【図５】減衰時の動作位置に合わせたダンパー組立体の平面図である。
【図６】ダンパー組立体を減衰を生じない自由回転時の動作位置に合わせた状態における、図５と同様の平面図である。
【図７】動作被減衰装置におけるダンパー組立体の斜視図である。
【図８】ダンパー組立体を備えた群衆コントロール装置のウェブを延伸した状態における斜視図である。
【図９】群衆コントロール装置のウェブを部分的に格納した状態における斜視図である。
【発明を実施するための形態】
【００１６】
本発明の実施形態を詳しく説明する前に、本発明が、その適用において以下の説明に記載されたまたは図面に示された構造の詳細および部品の配置に限定されないことを理解すべきである。本発明は他の実施形態が可能であり、また様々な方法における実施または実行が可能である。また、本明細書中に用いられる表現および専門用語は、説明のためのものであり、限定するものとみなすべきでないことが理解される。本明細書における「含む」、「具備する」およびこれらの言換えの使用は、その後に列挙される品目およびそれらの等価物のみならず、追加品目およびそれらの等価物を包含することを意図する。
【００１７】
次に図面、特に図１〜図６をより詳細に参照すると、例示的なダンパー組立体１００が示されている。ダンパー組立体１００は、ダンパー１０２と、ブラケット１０６およびダンパーギア１０８を含む駆動組立体１０４とを含む。
【００１８】
ダンパー１０２は、外部ハウジング１１０を有する粘性回転ギアダンパーであり、例えば複数の部品を超音波溶接によって互いに結合して形成することができる。図示する例示的な実施形態において、ハウジング１１０は、外殻部１１２とそこに取付けられたカバー部１１４とを含む。外殻部１１２およびカバー部１１４は、完成した組立体において粘性減衰流体で充填される内部空間１１６を共に画成する。外殻部１１２は、その外周に歯またはリブ１１８を形成し、例示的実施形態において、該歯は、ダンパー１０２の一端で外殻部１１０を包囲する。歯１１８は、外殻部１１２に対して固定された要素で、外殻部１１２に一体形成することができる。更に、ダンパー１０２は、内部空間１１６内で回転可能であり、また孔１２４からカバー部１１４の外に延出する軸１２２を有したローター１２０を含む。軸１２２の平坦な末端部１２６は、ダンパーギア１０８に係合するように構成され、軸１２２が回転するとダンパーギア１０８が直接軸１２２と共に回転する。
【００１９】
当業者に公知であるように、粘性ダンパーは、封入空間内で減衰流体の動きをローターの回転に対して方向付けるためのバッフルおよび様々な種類の制限体(restrictions)を含み、ローターの回転を制御すると共に減衰作用を提供する。その結果、ローターに連結された外部ギアの回転が制御され、その制御された回転を、ローターに連結された外部ギアと、群衆コントロール装置の巻取スプールといった動作を制御すべき装置に設けられたギアとの間のギア連結を介して伝達することができる。
【００２０】
ブラケット１０６は、本体１３０と、本体１３０の互いに正対する側面から突出する取付脚部１３２、１３４とを含む。図示する例示的実施形態において、各取付脚部１３２、１３４は、装置にブラケット１０６を取付けるための留め具１４０、１４２（図７参照）を受承する孔１３６、１３８を夫々有している。図示する例示的実施形態において、留め具１４０、１４２はネジ型の留め具である。その他の種類の取付方法も可能であり、限定のためではなく例として挙げると、ネジ以外の種類の留め具を用いた方法や、独立した留め具を用いないで孔に受承される脚部にスナップ留め機構等を設ける方法や、装置内にブラケットを固定するための締め具、押さえ具または接着剤を用いた取付方法も可能であると解されるべきである。
【００２１】
一方の脚部１３２の内側には、外殻部１１０に設けられた歯またはリブ１１８と係合する歯または歯状部１４４が形成されている。本体１３０には中央開口部１４６が形成されており、該中央開口部にダンパー軸１２２が貫通、延設されている。中央開口部１４６は、同開口部１４６の縁に沿って上方に延びる隆起部またはリム部１４８が延在するように本体１３０に形成される。１または複数の可撓性バー１５０、１５２が、本体１３０において中央開口部１４６の外方両側に形成される。例示的実施形態では二つの上記可撓性バー１５０、１５２が示され、可撓性バー１５０、１５２は、中央開口部１４６の各側に夫々一つずつ設けられる。図示する例示的実施形態における可撓性バー１５０、１５２は、夫々一対の湾曲スロット１５４、１５６および１５８、１６０の間に夫々形成される弓状体である。
【００２２】
ブラケット１０６は、ハウジング１１０とダンパーギア１０８の間から夫々逆方向に付勢力を付与するように構成、組付および適合される。そのため、脚部１３２、１３４の寸法は、ダンパー組立体１００が組み付けられたときにブラケット１０６がハウジング１１０に対して下向きの締付力を付与するように調節される。弓状可撓性バー１５０、１５２は、脚部１３２、１３４が定位置に固定されるとき、本体１３０の半径方向最外側部分１６２（図３参照）が下方に引っ張られることでカバー部１１４の上面に対し付勢するように配置される。同時に、本体１３０の半径方向最内側部分１６４は、カバー部１１４とダンパーギア１０８の下面との間で締め付けられる。またブラケット１０６は、ブラケット１０６を装置内に設置するための１または複数の突起部１６６その他の機構を含んでもよい。
【００２３】
ダンパーギア１０８は、ローター軸１２２上にスナップ嵌合により連結される。このスナップ嵌合による連結は、スナップ嵌合に先立って、ギアがリム部１４８に当接して押し下げられ、それと同時に最内側部分１６４がダンパーハウジング１１０のカバー部１１４に対して押圧されるように構成される。そのため、ギアがローターのポストにスナップ嵌合されると、ダンパーの頂部とポスト上のギアの間に固有の付勢力が生じる。可撓性バー１５０、１５２と、外側部分１６２および内側部分１６４とを含むブラケットは、可撓性バーがダンパーおよびギアに対して加える力によって、ギアとダンパーとの間の緊密または好適な連結を保証する。上記力は、作動中にダンパー組立体が所望通りに移動して、歯１１８を歯１４４に係合および歯１４４から係合解除するのを妨げるほど強力ではない。しかしながら、ブラケット１０６の付勢力は、減衰中の歯の係合および自由回転中の歯の係合解除を確実にするのに役立つ。
【００２４】
ダンパー組立体１００は、ハウジング１１０およびブラケット１０６に設けられた協働係合構造、すなわち、歯１１８および歯１４４、の係合および係合解除を利用して、（歯係合時の）減衰効果と、（歯係合解除時の）減衰効果を生じない自由回転とを交互に提供する。歯が係合解除されているとき、ダンパーハウジング１１０は、ブラケット１０６に対して移動可能である。そのため、ダンパーハウジング１１０とローター１２０との間に相対回転は生じない。反対に、歯が係合されているとき、ダンパーハウジング１１０は、ブラケット１０６に対して固定保持される。従って、ダンパーハウジング１１０とローター１２０との間に相対回転が起こり、その結果、減衰効果がダンパーギア１０８を介して伝達される。
【００２５】
可撓性バー１５０、１５２は、歯係合時（図５参照）の減衰状態および歯の係合解除時（図６参照）の自由回転状態のどちらにおいても、ダンパー１０２およびブラケット１０６を定位置に保持する役目を果たす。ブラケット１０６がダンパー１０２およびダンパーギア１０８に対して加える抵抗または所望の力がなければ、特に、ポスト上に設けられた群衆コントロール装置が倒されたりしてダンパーの垂直方向が変わった場合に、歯は所望通りに係合または係合解除することができない。自由回転すなわち非減衰状態が所望される場合、可撓性バーは、ダンパーおよびギアと協働して歯間の係合解除状態を確保する。抵抗または所望の力がなければ、歯は、不都合に部分的に係合することがあり、その結果、装置内のダンパーの動作から望ましくない動作音(ratcheting noise)が生じる。ブラケットは、ブラケットおよびダンパーに係合された装置に対するダンパーの適正な配置および動作を保証する力を提供する。
【００２６】
図７は、ダンパー組立体１００を含む動作被減衰装置２００を示す。限定のためではなく例として示すと、被減衰装置２００は、ロープ、ストラップ、ウェブ等のための群衆コントロールリール機構とすることができる。動作被減衰装置２００は、外側本体２０２と固定エンドプレート２０４とを含む。装置２００の可動部品は、エンドプレート２０４を貫通して延びる回転自在な軸２０６を含む。ギア２０８は、軸２０６に駆動可能に配置され、ダンパーギア１０８と作動的に係合される。それにより、ダンパー組立体１００の減衰効果が、ダンパーギア１０８と装置ギア２０８の間のギア接続を介して装置２００の可動部品の動作に伝達される。
【００２７】
図８、９は、別の動作被減衰装置を示し、該装置は、自立式ポスト上部や同ポスト内部への取付け、または、壁やその他の構造物に据え付けられたハウジング内への取付けに適した群衆コントロール装置２１０である。群衆コントロール装置２１０は、スプール２１４および同スプールに巻回されたウェブ、ロープ、ベルトまたはストラップ２１６を有するリール組立体２１２を含む。ストラップ２１６の末端に設けた固定具２１８を、別の構造物や同様に構成される群衆コントロール装置のポストに固定することも、または、当業者がすぐに分かるような、該固定具のために製造された単純な受容ブラケットに固定することも可能である。リール組立体２１２は、ヘッド部２２０と、ベース部２２２と、ヘッド部とベース部の間に配置されるピラー部２２４とを含む。キャッププレート２２６は、スプール２１４に連結されてスプールと共に回転する。既述したようなダンパー組立体１００が、キャッププレート２２６上に取付けられてプレート２２６およびスプール２１４と共に移動する。内部に歯を設けたリングギア２２８は、ヘッド部２２０に固定されて動かない。ダンパーギア１０８はリングギア２２８と係合しているため、スプール２１４、プレート２２６およびダンパー組立体１００が動くと、ダンパーギア１０８は、リングギア２２８の歯と係合してリングギア２２８の内側で回転する。その結果、ダンパー組立体１００の減衰作用が、ダンパーギア１０８とリングギア２２８との駆動関係およびダンパー組立体のスプールへの連結を介して、スプール２１４の回転へと伝達される。ダンパー組立体１００は、滑らかで安定した速度および加速を向上促進するため、巻取中のストラップの捕捉や制止によって巻取りが妨害されたとしても、不規則な暴れを減じて巻取りを行うことができる。ダンパーは、速度および加速における不安定さを緩和する。一方向ダンパー組立体を設ける場合、減衰制御を巻取機能のみに限定して、繰出しに関してはダンパーの影響を受けないようにすることができる。
【００２８】
更に他の様式のダンパー係合構成を用いてダンパー組立体を動作被減衰装置に連結することができることも理解すべきである。装置側の協働ギアおよびダンパーギアのうちの一方が、群衆コントロール装置のヘッド部やその他の部分といった装置の不動部分に対して固定され、協働ギアおよびダンパーギアのうちの他方が、群衆コントロール装置に設けられたリール組立体のスプールおよび／または他の回転部品といった装置の可動部分と共に回転するように取付けられる、他のギア構成を用いることができる。その結果、ダンパーの制御特性が、群衆コントロール装置のスプールの巻上機構といった装置の可動部分に伝達される。
【００２９】
ダンパー組立体の群衆コントロール装置における用途や使用に特化して図示し説明してきたが、家具等の可動部品を有する多種多様な他の構造体および装置、種々の自動車用途、並びに、その他多くの種類の装置において、該ダンパー組立体を使用できることが当業者に容易に理解されよう。
【００３０】
上記形態の変形および修正は、本発明の範囲内に含まれる。本明細書において開示および定義される発明は、本文および／または図面に記載され、或いは、これらにより明らかな複数の特徴を組合せた他の発明の全てに及ぶことが理解される。これらの異なる組合せの全ては、本発明の様々な別の形態を構成する。本明細書に記載される実施形態は、本発明を実施するための既知の最良モードを説明しており、当業者による本発明の使用を可能にする。特許請求の範囲は、従来技術によって許容される範囲まで別の実施形態を含むと解釈すべきである。
本発明の様々な特徴は特許請求の範囲に記載されている。
【符号の説明】
【００３１】
１００    ダンパー組立体
１０２    ダンパー
１０４    駆動組立体
１０６    ブラケット
１０８    ダンパーギア
１１０    ハウジング
１１２    外殻部
１１４    カバー部
１１６    内部空間
１１８    歯またはリブ
１２０    ローター
１２２    軸
１２２    ローター軸
１２４    孔
１２６    末端部
１３０    本体
１３２    脚部
１３４    脚部
１４０    留め具
１４２    留め具
１４４    歯または歯状部
１４６    中央開口部
１４８    隆起部またはリム部
１５０    可撓性バー
１５２    可撓性バー
１５４    湾曲スロット
１５６    湾曲スロット
１５８    湾曲スロット
１６０    湾曲スロット
１６２    半径方向最外側部分
１６４    半径方向最内側部分
１６６    突起部
２００    動作被減衰装置
２０２    外側本体
２０４    固定エンドプレート
２０６    軸
２０８    ギア
２１０    群衆コントロール装置
２１２    リール組立体
２１４    スプール
２１６    ストラップ
２１８    固定具
２２０    ヘッド部
２２２    ベース部
２２４    ピラー部
２２６    キャッププレート
２２８    リングギア
【図１】
0005731410.tif 000002
【図２】
0005731410.tif 000003
【図３】
0005731410.tif 000004
【図４】
0005731410.tif 000005
【図５】
0005731410.tif 000006
【図６】
0005731410.tif 000007
【図７】
0005731410.tif 000008
【図８】
0005731410.tif 000009
【図９】
0005731410.tif 000010